(57)【要約】      （修正有）【課題】作動板と背面壁との間に塵埃が蓄積されず、作動板の円滑なスライドを確保することができる換気装置を提供する。【解決手段】換気装置は水平に延びる押出型材からなる本体１と、作動板５０とを備えており、本体の屋外に臨む鉛直の背面壁２２には，多数の通気口２２ａが長手方向に等ピッチで形成されている。作動板は、本体の長手方向に延び、背面壁の通気口と同じピッチで並んだ多数の通気口５１ａを有しており、背面壁の屋内側の面に沿って本体の長手方向にスライドすることにより、通気口を開閉する。  本体は作動板の上縁部と下縁部をそれぞれ案内する上下のガイド部５３，５５を有している。下側のガイド部には、本体の長手方向に延びる塵埃逃がし溝２６が形成されている。塵埃逃がし溝は作動板の下縁より下方に位置しており、その屋外側の面２６ａと上記背面壁の屋内側の面とは、作動板の下縁部を乗せる水平な支持面２７ａを介して連なっている。【選択図】図５
2008164199.tif 000002
【特許請求の範囲】
【請求項１】
（ア）水平に延びる押出型材からなり、屋外に臨む鉛直の背面壁に多数の通気口を長手方向に等ピッチで形成するとともに、この通気口に連なる換気通路を有する本体と、
（イ）上記本体の長手方向に延び、上記背面壁の通気口と同じピッチで並んだ多数の通気口を有し、上記背面壁の屋内側の面に沿って本体の長手方向にスライドすることにより、背面壁の通気口を開閉する作動板と、
を備えた換気装置において、
上記本体は上記作動板の上縁部と下縁部をそれぞれ案内する上下のガイド部を有し、下側のガイド部には本体の長手方向に延びる塵埃逃がし空間が形成され、この塵埃逃がし空間は作動板の下縁より下方に位置し、その屋外側の面と上記背面壁の屋内側の面とは、作動板の下縁部を乗せる水平な支持面を介して連なっていることを特徴とする換気装置。
【請求項２】
（ア）水平に延びる押出型材からなり、屋外に臨む鉛直の背面壁に多数の通気口を長手方向に等ピッチで形成するとともに、この通気口に連なる換気通路を有する本体と、
（イ）上記本体の長手方向に延び、上記背面壁の通気口と同じピッチで並んだ多数の通気口を有し、上記背面壁の屋内側の面に沿って本体の長手方向にスライドすることにより、背面壁の通気口を開閉する作動板と、
を備えた換気装置において、
上記本体は上記作動板の上縁部と下縁部をそれぞれ案内する上下のガイド部を有し、下側のガイド部には本体の長手方向に延びる溝形状の塵埃逃がし空間が形成され、この塵埃逃がし空間は作動板の下縁より下方に位置し、
上記作動板は、その下縁から屋内に向かって突出する鍔部を有し、この鍔部が上記塵埃逃がし空間を覆うとともに、この塵埃逃がし空間の屋内側に隣接する凸部に乗っており、
上記塵埃逃がし空間の屋外側の面と上記背面壁の屋内側の面とは、直接または水平面を介して連なっていることを特徴とする換気装置。
【請求項３】
上記作動板の鍔部の下面には、上記本体の長手方向に延びる突条が形成され、この突条は、上記塵埃逃がし空間に入り込み、上記塵埃逃がし空間に隣接する凸部と対峙していることを特徴とする請求項２に記載の換気装置。
【請求項４】
上記塵埃逃がし空間の底部には、塵埃を下方へ排出するための排出口が形成されていることを特徴とする請求項１〜３のいずれかに記載の換気装置。
【請求項５】
上記塵埃逃がし空間の両端が開放されており、この両端から塵埃を下方へと排出可能であることを特徴とする請求項１〜３のいずれかに記載の換気装置。
【請求項６】
上記本体と作動板との間には複数の弾性付勢部材が本体の長手方向に離れて配置され、これら弾性付勢部材により、上記作動板が上記背面壁に向かって付勢されていることを特徴とする請求項１〜５のいずれかに記載の換気装置。
【請求項７】
上記弾性付勢部材は、上記作動板に取り付けられるボデイ部と、このボデイ部から屋内方向に向かって突出する弾性変形部とを有し、
上記本体には、鉛直に起立して本体の長手方向に延びる受面が形成され、上記弾性変形部は、この受面に弾性変形した状態で接しながら移動可能となっており、この弾性変形部の弾性力により、上記作動板が上記背面壁に向かって付勢されることを特徴とする請求項６に記載の換気装置。
【請求項８】
上記弾性付勢部材のボデイ部が左右一対の鉛直部と、これら鉛直部間に掛け渡された水平部と、これら鉛直部から屋外に向かって突出する係合凸部とを有し、これら係合凸部が作動板の通気口に入り込みその側縁に当たることにより、弾性付勢部材が本体の長手方向に移動不能に取り付けられており、
上記弾性付勢部材の弾性変形部は、上記左右一対の鉛直部間に弧状をなして掛け渡され上記受面に向かって突出していることを特徴とする請求項７に記載の換気装置。
【発明の詳細な説明】
【技術分野】
【０００１】
本発明は、窓障子の上縁等に装着される換気装置に関する。
【背景技術】
【０００２】
特許文献１に開示されているように、本体の背面壁に沿って作動板を本体の長手方向にスライドさせることにより、背面壁の通気口を開閉する換気装置は公知である。
上記換気装置において、上記本体には背面壁の通気口を挟んで上下にガイド溝が形成されている。上記作動板は、その上下縁部がこれらガイド溝に嵌められることにより、スライド可能に支持されている。このガイド溝の幅寸法は作動板を円滑にスライドさせるために作動板の厚みより若干大きい。
なお、特許文献２には作動板を弾性付勢する構造が開示されている。
【特許文献１】特開平９−２４３１２１号公報
【特許文献２】特開平８−９３３４７号公報
【発明の開示】
【発明が解決しようとする課題】
【０００３】
特許文献１の換気装置では、作動板の下縁部と下側のガイド溝との間に塵埃や小砂が侵入し、これら塵埃等が蓄積することにより、作動板の円滑なスライドが妨げられることがあった。
【課題を解決するための手段】
【０００４】
上記課題を解決するため、本発明の一態様は、（ア）水平に延びる押出型材からなり、屋外に臨む鉛直の背面壁に多数の通気口を長手方向に等ピッチで形成するとともに、この通気口に連なる換気通路を有する本体と、（イ）上記本体の長手方向に延び、上記背面壁の通気口と同じピッチで並んだ多数の通気口を有し、上記背面壁の屋内側の面に沿って本体の長手方向にスライドすることにより、背面壁の通気口を開閉する作動板と、を備えた換気装置において、上記本体は上記作動板の上縁部と下縁部をそれぞれ案内する上下のガイド部を有し、下側のガイド部には本体の長手方向に延びる塵埃逃がし空間が形成され、この塵埃逃がし空間は作動板の下縁より下方に位置し、その屋外側の面と上記背面壁の屋内側の面とは、作動板の下縁部を乗せる水平な支持面を介して連なっていることを特徴とする。
この構成によれば、作動板と背面壁との間に侵入した塵埃等は、作動板の下縁部と支持面との間を経て塵埃逃がし空間へと落とすことができ、作動板と背面壁との間の塵埃蓄積により作動板の円滑なスライドが妨げられる不都合を回避できる。
【０００５】
本発明の他の態様は、（ア）水平に延びる押出型材からなり、屋外に臨む鉛直の背面壁に多数の通気口を長手方向に等ピッチで形成するとともに、この通気口に連なる換気通路を有する本体と、（イ）上記本体の長手方向に延び、上記背面壁の通気口と同じピッチで並んだ多数の通気口を有し、上記背面壁の屋内側の面に沿って本体の長手方向にスライドすることにより、背面壁の通気口を開閉する作動板と、を備えた換気装置において、上記本体は上記作動板の上縁部と下縁部をそれぞれ案内する上下のガイド部を有し、下側のガイド部には本体の長手方向に延びる溝形状の塵埃逃がし空間が形成され、この塵埃逃がし空間は作動板の下縁より下方に位置し、上記作動板は、その下縁から屋内に向かって突出する鍔部を有し、この鍔部が上記塵埃逃がし空間を覆うとともに、この塵埃逃がし空間の屋内側に隣接する凸部に乗っており、上記塵埃逃がし空間の屋外側の面と上記背面壁の屋内側の面とは、直接または水平面を介して連なっていることを特徴とする。
この構成によれば、作動板と背面壁との間に侵入した塵埃等は、塵埃逃がし空間に即座に落とすか、作動板の下縁部と水平面との間を経て落とすことができ、作動板と背面壁との間の塵埃蓄積により作動板の円滑なスライドが妨げられる不都合を回避できる。
【０００６】
好ましくは、上記作動板の鍔部の下面には、上記本体の長手方向に延びる突条が形成され、この突条は、上記塵埃逃がし空間に入り込み、上記塵埃逃がし空間に隣接する凸部と対峙している。
この構成によれば、作動板の突条と本体の凸部とで、作動板のガイドを安定して行うことができる。
【０００７】
好ましくは、上記塵埃逃がし空間の底部には、塵埃を下方へ排出するための排出口が形成されている。これによれば、塵埃を排出口から排出するので塵埃逃がし空間に塵埃が蓄積されるのを防止できる。
好ましくは、上記塵埃逃がし空間の両端が開放されており、この両端から塵埃を下方へと排出可能である。これにより、塵埃逃がし空間に塵埃が蓄積されるのを防止できる。
【０００８】
好ましくは、上記本体と作動板との間には複数の弾性付勢部材が本体の長手方向に離れて配置され、これら弾性付勢部材により、上記作動板が上記背面壁に向かって付勢されている。
この構成によれば、弾性付勢部材で作動板を背面壁に押し付けるので、作動板と背面壁との間に隙間が生じず、埃の侵入、蓄積を抑制でき、塵埃逃がし空間への塵埃の蓄積を抑制できる。また、換気装置の気密性を向上させることができる。
【０００９】
好ましくは、上記弾性付勢部材は、上記作動板に取り付けられるボデイ部と、このボデイ部から屋内方向に向かって突出する弾性変形部とを有し、上記本体には、鉛直に起立して本体の長手方向に延びる受面が形成され、上記弾性変形部は、この受面に弾性変形した状態で接しながら移動可能となっており、この弾性変形部の弾性力により、上記作動板が上記背面壁に向かって付勢される。
この構成によれば、弾性変形部が本体の受面に安定して接するので、作動板を背面壁により一層安定して押し付けることができる。
【００１０】
好ましくは、上記弾性付勢部材のボデイ部が左右一対の鉛直部と、これら鉛直部間に掛け渡された水平部と、これら鉛直部から屋外に向かって突出する係合凸部とを有し、これら係合凸部が作動板の通気口に入り込みその側縁に当たることにより、弾性付勢部材が本体の長手方向に移動不能に取り付けられており、上記弾性付勢部材の弾性変形部は、上記左右一対の鉛直部間に弧状をなして掛け渡され上記受面に向かって突出している。
この構成によれば、弾性付勢部材が作動板の通気口に取り付けられるので、構成を簡略化することができる。また、弾性変形部が弧状をなしているので安定して受面に接することができる。
【発明の効果】
【００１１】
本発明によれば、作動板と背面壁との間に塵埃が蓄積されず、作動板の円滑なスライドを確保することができる。
【発明を実施するための最良の形態】
【００１２】
以下、本発明の第１実施形態をなす換気装置を、図１〜図８を参照しながら説明する。最初に図１〜図４を参照しながら、換気装置の基本構造について説明する。本実施形態の換気装置は上框一体型であり、窓障子の上框を兼用しており、図１に示すように水平に延び、その両端が窓障子の左右の縦框の上端部に連結されている。
図２〜図４に示すように、換気装置は本体１を備えており、この本体１は、アルミ押出型材からなる第１、第２の型材１０、２０を互いに組み付けることにより構成されている。
【００１３】
上記第１型材１０は、窓障子のガラス製障子体（図示しない）を呑み込む断面逆Ｕ字形の障子体呑み込み部１１と、この障子体呑み込み部１１の上に形成された、断面が扁平な矩形をなす凸部１２と、この凸部１２から鉛直に起立して屋内側に臨む正面壁１３と、この正面壁１３の上端近傍から屋外に向かって突出する連結部１４とを有している。
【００１４】
上記凸部１２の奥行寸法は障子体呑み込み部１１より小さく、その屋内側の壁は障子体呑み込み部１１の屋内側の壁と面一をなし、その屋外側の壁１２ａは障子体呑み込み部１１の屋外側の壁より屋内側に位置して鉛直に起立している。この壁１２ａの屋外側の面は、鉛直に起立して本体１の長手方向に延びる受面１２ｘを提供している。
【００１５】
上記壁１２ａの下部には、屋外側に向かって突出する突条１２ｂが形成されている。また、障子体呑み込み部１１の屋外側の角部には鉛直に起立する突条１１ａが形成されている。これら突条１１ａ，１２ｂと障子体呑み込み部１１の上壁とで、嵌込溝１５が形成されている。
【００１６】
図１に示すように、上記正面壁１３の一端部例えば右端部を除く領域には、多数の通気口１３ａが本体１の長手方向に等ピッチで形成されている。この正面壁１３の上下縁には、嵌込溝１６ａ，１６ｂが形成されている。
上記嵌込溝１６，１６ｂにはカバー（図示しない）の上下縁が嵌め込まれている。このカバーは、正面壁１３の右端部を除く領域を覆っており、長手方向に間隔をおいて多数の通気口を有している。カバーと正面壁１３との間にはフィルタ（図示しない）が介在されている。
【００１７】
上記第２型材２０は、窓枠の上側のレール（図示しない）を呑み込む断面略Ｕ字形のレール呑み込み部２１と、このレール呑み込み部２１の屋外側の縁から垂下する背面壁２２と、この背面壁２２の下端から水平をなして屋内に向けて突出する嵌込部２３とを有している。
【００１８】
上記第２型材２０のレール呑み込み部２１における屋内側の壁の上端を、上記第１型材１０の連結部１４に嵌め込み、嵌込部２３を第１型材１０の嵌込溝１５に嵌め込むことにより、第２型材２０が第１型材１０に連結されている。
【００１９】
上記第２型材２０の背面壁２２には、多数の通気口２２ａが本体１の長手方向に等ピッチで形成されている。
上記第１型材１０と第２型材２０との間には内部空間が形成されており、この内部空間が換気通路３０として提供されている。この換気通路３０は、断面略Ｌ字状をなし屋内側の正面壁１３の通気口１３ａと屋外側の背面壁２２の通気口２２ａを連ねている。理解を助けるために、図４において換気通路３０内での空気の流れを矢印で示す。
【００２０】
図１に示すように、上記第１型材１０右端部には正面壁１１ａを覆い図示しないカバーと並んで横長をなす支持板３５が取り付けられている。この支持板３５には操作つまみ４０が左右方向にスライド可能に支持されている。
図２に示すように、上記操作つまみ４０は屋外側に突出する凸部４１を有している。この凸部４１は換気通路３０に対応してほぼＬ字状をなし、水平をなす部位が屋外方向に向かって延びている。
【００２１】
図２〜図４に示すように、換気通路３０の屋外側の端部には押出型材からなる作動板５０が収容されている。この作動板５０は、平板形状をなして背面壁２２の屋外側の面に接するベース部５１と、このベース部５１の上縁から屋内方向に水平に延びる鍔部５２と、このベース部４１の下縁から屋内方向に水平に延びる鍔部５３とを有している。
【００２２】
上記作動板５０のベース部５１には、本体１の背面壁２２の通気口２２ａと同一形状、同一ピッチで通気口５１ａが形成されている。
上記作動板５０の端部、例えば右端近傍における通気口５１ａには、上記操作つまみ４０の凸部４１の先端が嵌り込んでおり、これにより作動板５０と操作つまみ４０が連結されている。
【００２３】
上記作動板５０は操作つまみ４０の左右方向のスライド操作に伴い左右方向（すなわち本体１０の長手方向）にスライドするようになっており、通気口５１ａが通気口２２ａに一致した時に開き、通気口５１ａ、２２ａが不一致の時に閉じるようになっている。
【００２４】
次に、上記作動板５０を支持する構造について、特に図５を参照して詳述する。第２型材２０のレール呑み込み部２１の底壁は屋外側端部が隆起し、水平壁部２１ａと鉛直壁部２１ｂとを有している。これら壁部２１ａ，２１ｂと背面壁２２の上端部とで、ガイド溝２５（上側のガイド部）が形成されている。このガイド溝２５に上記作動板５０の鍔部５１が、微小隙間すなわちクリアランスＧ１を介して収容されている。
なお、上記鉛直壁部２１ｂの屋外側の面は、鉛直をなして本体１の長手方向に延びる受面２１ｘを提供している。
【００２５】
第２型材２０の嵌込部２３は、作動板５０の下縁部を案内するための下側のガイド部として提供される。この嵌込部２３の上面には、本体１の長手方向に延びる塵埃逃がし溝２６（塵埃逃がし空間）が形成されている。嵌込部２３の上面には、この塵埃逃がし溝２６を挟んで屋外側と屋内側に、肩部２７と凸部２８が形成されている。
【００２６】
上記肩部２７の上面は水平な支持面２７ａを提供している。塵埃逃がし溝２６の屋外側の面２６ａは、この支持面２７ａを介して背面壁２２の屋内側の面に連なっている。
また、上記凸部２８の上面は、上記支持面２７ａと同一高さの支持面２８ａを提供している。
上記作動板５０のベース部５１の下縁が上記支持面２７ａに乗り、鍔部５３の屋内側の縁部が支持面２８ａに乗っている。
【００２７】
上記作動板５０の鍔部５３の下面には突条５５が形成されている。この突条５５は、作動板５０が支持面２７ａ，２８ａに乗った状態で、塵埃逃がし溝２６内に入り込んでいる。この突条５５の厚みはガイド溝２６の幅に比べて小さい。作動板５０のベース部５１が背面壁２２に接した状態において、この突条５５は上記凸部２８（換言すれば塵埃逃がし溝２６の屋内側の鉛直面）に微小隙間すなわちクリアランスＧ２を介して対峙している。
【００２８】
上記塵埃逃がし溝２６の底部を構成する嵌込部２３と障子体呑み込み部１１の上壁には、複数の排出口２９が本体１の長手方向に間隔をおいて形成されている。
【００２９】
上記作動板５０は、本体１の長手方向に離れて配置された複数の弾性付勢部材６０により背面壁２２に向かって弾性付勢され、これにより、背面壁２２に常時密接するようになっている。
上記弾性付勢部材６０はＡＥＳ樹脂等の樹脂射出成形品からなり、図７、図８に示すように、ホデイ部６１と、上下２段の弾性変形部６２、６３とを一体に有している。
【００３０】
上記ボデイ部６１は、図７、図８（Ａ）に示すように屋内側から見た時にＨ字形状をなし、本体１の長手方向と直交する板形状をなす左右一対の鉛直部６１ａと，これら鉛直部６１ａの中間高さ間に掛け渡されて本体長手方向に延びる板形状の水平部６１ｂと、鉛直部６１ａから後方に突出する左右一対の係合凸部６１ｃとを有している。
【００３１】
上記鉛直部６１ａの上端部間に上側の弾性変形部６２が掛け渡されており、下端部間に、下側の弾性変形部６３が掛け渡されている。これら弾性変形部６２、６３は弧状をなし屋内側に向かって突出している。
【００３２】
図６および図８（Ｂ）に示すように、上記弾性付勢部材６０の左右一対の係合凸部６１ｃは、作動板５０において１つの通気口５１ａを跨いでその両側の２つの通気口５１ａに挿入され、その一方の側縁および上下縁に当たっている。これにより、弾性付勢部材６０は、本体１の長手方向に移動不能にし、かつ上下方向に移動不能にして、作動板５０に取り付けられている。
【００３３】
図２、図３に示すように、上記作動板５０に取り付けられた弾性付勢部材６０において、上側の弾性変形部６２が第２型材２０の鉛直壁部２１ｂの受面２１ｘに弾性変形しながら当たり、下側の弾性変形部６３が第１型材１０の壁部１２ａの受面１２ｘに弾性変形しながら当たり、これにより、作動板５０は弾性付勢部材６０の弾性変形部６２、６３の弾性反発力により付勢されて背面壁２２に密着している。
【００３４】
上記構成において、作動板５０が閉じ位置にある時、背面壁２２の通気口２２ａには塵埃や小砂が溜まる。しかし、作動板５０が常に背面壁２２に接していて両者の間に隙間が形成されていないので、両者の間に塵埃等が入り込むのを抑制することができる。
作動板５０がこの閉じ位置からスライドしたときにも作動板５０の背面壁２２への密着状態は確保されたままであり、両者の間に塵埃等が入り込むのを抑制できる。
【００３５】
作動板５０の下縁部と背面壁２２との間に塵埃等が入り込んだ場合には、この塵埃等は作動板５０の下縁と支持面２７との間を通り、さらに塵埃逃がし溝２６へと落とすことができる。
その結果、作動板５０と本体１との間に塵埃等が蓄積されることがなく、作動板５０を円滑にスライドさせて開閉動作を行うことができる。
また、塵埃逃がし溝２６に溜まった塵埃は排出口２９から下方へ排出することができる。
【００３６】
図９は第２実施形態を示す。この実施形態では、作動板５０のベース部５１を載せる肩部２７はなく、作動板５０の鍔部５３が凸部２８に乗ることにより、作動板５０を支持している。塵埃逃がし溝２６の屋外側の面２６ａは、背面壁２２の屋内側の面に直接連なっている。この面２６ａは図示のように傾斜してもよいし、背面壁２２の屋外側の面と面一をなしていてもよい。作動板５０の下縁部と背面壁２２との間に侵入した塵埃は、そのまま塵埃逃がし溝２６に落とされるので、作動板５０と背面壁２２との間の塵埃排除をより一層円滑に行うことができる。第２実施形態の他の構成は第１実施形態と同じであるので、説明を省略する。
【００３７】
本発明は上記実施形態に制約されず、種々の形態を採用可能である。例えば、上記塵埃逃がし溝２６の空間が広い場合には、排出口２９を省略してもよい。また、塵埃逃がし溝２６の両端を開放してその両端から塵埃を下方に排出するようにしてもよい。
【００３８】
上記第１、第２実施形態において、弾性付勢部材６０を省略してもよい。
弾性付勢部材６０を用いる場合、第１、第２実施形態において作動板５０の突条５５を省いてもよいし、第１実施形態において鍔部５３を省いてもよい。
【００３９】
換気装置本体は、１つまたは複数の押出型材により構成されるものを全て含む。
本発明の換気装置は、上框別体型にも適用できる。この場合、下側に障子体呑み込み部が形成され、上側には窓障子の上框にはめ込まれる嵌合部が形成される。
【図面の簡単な説明】
【００４０】
【図１】本発明の第１実施形態に係わる換気装置を屋内側から見た正面図である。
【図２】図１におけるII−II矢視断面図である。
【図３】操作つまみを省いて示す図２相当図である。
【図４】操作つまみと弾性付勢部材を省いて示す図２相当図である。
【図５】同換気装置の作動板およびその支持構造を示す要部拡大断面図である。
【図６】同換気装置の作動板を、弾性付勢部材を装着した状態で示す正面図である。
【図７】同換気装置の弾性付勢部材を示す斜視図である。
【図８】同弾性付勢部材を示し、（Ａ）は正面図、（Ｂ）は平面図、（Ｃ）は左側面図である。
【図９】本発明の第２実施形態を示す図５相当図である。
【符号の説明】
【００４１】
１  本体
１２ｘ  受面
１３  正面壁
２１ｘ  受面
２２  背面壁
２２ａ  通気口
２３  嵌込部（下側のガイド部）
２５  ガイド溝（上側のガイド部）
２６  塵埃逃がし溝（塵埃逃がし空間）
２６ａ  塵埃逃がし溝の屋外側の面
２７ａ  支持面
２８  凸部
３０  換気通路
５０  作動板
５３  鍔部
６０  弾性付勢部材
６１  ボデイ部
６１ａ  鉛直部
６１ｂ  水平部
６１ｃ  係合凸部
６２、６３  弾性変形部
【図１】
2008164199.tif 000003
【図２】
2008164199.tif 000004
【図３】
2008164199.tif 000005
【図４】
2008164199.tif 000006
【図５】
2008164199.tif 000007
【図６】
2008164199.tif 000008
【図７】
2008164199.tif 000009
【図８】
2008164199.tif 000010
【図９】
2008164199.tif 000011